【事件の表示】
　平成１０年特許願第１５７４９５号「パチンコ球払出装置」拒絶査定不服審判事件〔平成１１年１２月２１日出願公開、特開平１１−３４７２２１〕について、次のとおり審決する。
【結　論】
　本件審判の請求は、成り立たない。
【理　由】
１． 手続きの経緯・本願発明  
 　本願は、平成１０年６月５日の出願であって、平成１２年６月２２日付で手続補正がなされ、平成１４年５月３１日付の拒絶理由に対し平成１４年７月３０日付で手続補正がなされ、平成１４年１０月８日付で拒絶査定がなされ、これに対し平成１４年１１月２１日付で拒絶査定に対する審判請求がなされたものであって、その請求項１に係る発明（以下、本願発明という。）は、平成１４年７月３０日付手続補正書の特許請求の範囲の請求項１に記載された次のとおりのものである。
　　　　　　　　　　　　　　　
「正逆回転可能なモータと、
　前記モータにより正逆回転され、外周にパチンコ球を受け入れる凹部が形成されたスプロケットと、
　前記スプロケットの回転軸よりも上側から前記スプロケットにパチンコ球を供給する球供給路と、
　前記スプロケットの両側に設けられた賞球用の球流下路及び貸球用の球流下路と、
　前記スプロケットの正転・逆転を切り換えることで、前記スプロケットの凹部に受け入れたパチンコ球の流下先を前記賞球用の球流下路と前記貸球用の球流下路との間で切り換える制御手段とを備え、
　前記賞球用の球流下路と前記貸球用の球流下路は、下流で合流してパチンコ機前面の球受け皿に通じていることを特徴とするパチンコ球払出装置。」
　　　　　　　　　　
２．引用例 
 原査定における拒絶の理由の理由Ａに引用された特開平３−２８６７９０号公報（以下「引用例」という）には、図面とともに以下の記載がある。 
　　　　　　　　　　　
（記載事項１） 
 「払出すべき景品玉数を計数しながら作動する景品玉払出装置を備えると共に、遊技盤が弾球遊技機本体に対して交換可能に構成された弾球遊技機において、
該弾球遊技機には、主として前記遊技盤に設けられる電気的遊技装置を駆動制御する遊技制御回路基板と、主として前記景品玉払出装置を駆動制御する景品玉払出制御回路基板と、が設けられ、前記遊技制御回路基板は、入賞情報に基づいて払出すべき景品玉数が設定される景品玉数設定回路部を含むと共に前記景品玉払出制御回路基板と電気的に接続可能とされていることを特徴とする弾球遊技機。」（【特許請求の範囲】）
　　　　　　　　　　　　　　　　　　　　
（記載事項２）
「ところで、カーブ樋３３の下流側は、垂直状の供給樋３６を構成し、この供給樋３６には、１回の払出動作によって払い出される景品玉数よりもやや多い数の景品玉が貯留されるようになっている。また、供給樋３６の流下端には、払出すべき景品玉数を計数しながら作動する景品玉払出装置４０が接続されている。なお、供給樋３６は、景品玉払出装置４０の供給通路の一部を構成している。
景品玉払出装置４０は、主として供給通路４２と、排出通路４６と、玉抜通路４７と、ステッピングモータ５４と、スプロケット５６とから構成されており、ステッピングモータ５４の回転により所定個数の景品玉を払い出すようになっている。その構成については、後に詳述する。
景品玉払出装置４０の下方には、該装置４０から払い出された景品玉を誘導する景品玉排出樋５８と玉抜樋５９とが隣接するように設けられている。景品玉排出樋５８の下端には、誘導開口６０が開設されて前記打球供給皿２２と連通するようになっている。一方、玉抜樋５９の流下端は、パチンコ遊技機１の裏側に導かれており、玉抜樋５９を落下する玉をパチンコ遊技機１の外に導くようになっている。」（第４頁右上欄第７行〜左下欄第１０行）
　　　　　　　　　　　　　　
（記載事項３）
「上記した構成以外に機構板２６には、外部からの電源あるいは外部との情報をやり取りするための接続端子を有するターミナルボックス６８や、主として前記遊技盤２に設けられる可変表示装置５や可変入賞球装置７等の遊技動作を制御する遊技制御回路基板６９や、主として前記景品玉払出装置４０の動作を制御する景品玉払出制御回路基板７０等が設けられている。」（第４頁右下欄第４〜１１行）
　　　　　　　　　　　　　　　　　
（記載事項４）
「なお、モータ取付板４８及び取付板４１には、それぞれの玉支持部５２ａ、５２ｂから排出通路４６及び玉抜通路４７に向けて円弧状のガイドリブ５３ａ、５３ｂが突設され、玉載置部５０に載置されていたパチンコ玉が排出通路４６に排出されるまでの間、及び玉抜通路４７に排出されるまでの間、その流下をガイドするようになっている。また、モータ取付板４８の後面には、パルス信号がある毎に所定角度回転するステッピングモータ５４が取り付けられ、そのモータ軸５５は、モータ取付板４８の前面に貫通して位置し、その先端には、外周に複数の爪部５７を有するスプロケット５６が固着されている。スプロケット５６の爪部５７は、パチンコ玉の外周面と係合するように凹状に形成されており、その爪部５７が前記玉支持部５２ａ、５２ｂの間に挿入された位置配置となっている。なお、前記ステッピングモータ５４は、停止状態において、スプロケット５６が常に第２図に示される状態となるようにされている。このとき、第２図に示されるように、爪部５７の凹状の低部が玉支持部５２ａ、５２ｂより低い位置となっているので、玉載置部５０に載置されているパチンコ玉は、玉支持部５２ａ、５２ｂで支持された状態となり、スプロケット５６には、玉圧が掛からないようになっている。しかして、ステッピングモータ５４が正回転することにより、スプロケット５６が第１図に示す実線矢印方向（反時計回転方向）に回転して景品玉を排出通路４６に排出し、ステッピングモータ５４が逆回転することにより、スプロケット５６が第１図に示す二点鎖線矢印方向（時計回転方向）に回転して景品玉を玉抜通路４７に排出する。なお、景品玉の払出が終了しステッピングモータ５４が停止した場合、前記玉載置部５０の下流側の玉（点線で示す）は、爪部５７を乗り越えて落下する。」（第５頁左下欄第３行〜右下欄第１７行）
　　　　　　　　　　　　　　　　　
（記載事項５）
「一方、景品玉払出制御回路基板７０には、演算回路８６と該演算回路８６で演算された演算結果を記憶する複数の記憶回路８７〜８９と、該記憶回路８７〜８９の記憶値のいずれかを選択する選択回路９０と、該選択回路９０によって選択された記憶値に基づいて景品玉の払出動作に関連するすべてを制御する払出制御回路９１と、該払出制御回路９１の制御結果に基づいていずれかの記憶回路８７〜８９の記憶値を減算させる分岐回路９２とを含んでいる。」（第７頁左上欄第１４行〜右上欄第３行）
　　　　　　　　　　　　　
　これらの記載、及び、
ａ）「ステッピングモータ５４が正回転することにより、スプロケット５６が第１図に示す実線矢印方向（反時計回転方向）に回転して景品玉を排出通路４６に排出し、ステッピングモータ５４が逆回転することにより、スプロケット５６が第１図に示す二点鎖線矢印方向（時計回転方向）に回転して景品玉を玉抜通路４７に排出する。」という記載から、ステッピングモータ５４が「正逆回転可能」であって、スプロケット５６が「正逆回転」されることは明らかであること、
ｂ）「スプロケット５６の爪部５７は、パチンコ玉の外周面と係合するように凹状に形成されており」という記載から、スプロケット５６には、「外周」にパチンコ玉を「受け入れる凹部が形成され」ていることは明らかであること、
ｃ）第２図よりモータ軸５５が「スプロケットの回転軸」であることが明らかであること、及び、第１図より供給通路４２がモータ軸５５よりも上側からスプロケットにパチンコ玉を供給することが明らかなことから、供給通路４２が「スプロケットの回転軸よりも上側から前記スプロケットにパチンコ玉を供給する」こともまたが明らかなこと、
ｄ）第１図よりスプロケットの「両側」に排出通路４６及び玉抜通路４７が設けられていることが明らかなこと、
ｅ）「ステッピングモータ５４が正回転することにより、スプロケット５６が第１図に示す実線矢印方向（反時計回転方向）に回転して景品玉を排出通路４６に排出し、ステッピングモータ５４が逆回転することにより、スプロケット５６が第１図に示す二点鎖線矢印方向（時計回転方向）に回転して景品玉を玉抜通路４７に排出する。」という記載及び「スプロケット５６の爪部５７は、パチンコ玉の外周面と係合するように凹状に形成されており」という記載から、「スプロケットの正転・逆転を切り換えることで、前記スプロケットの凹部に受け入れたパチンコ玉の流下先を排出通路４６と玉抜通路４７との間で切り換え」ていることは明らかであるし、払出制御回路９１が「景品玉の払出動作に関連するすべてを制御する」のであるから、払出制御回路９１が「スプロケットの正転・逆転を切り換えることで、前記スプロケットの凹部に受け入れたパチンコ玉の流下先を前記排出通路４６と前記玉抜通路４７との間で切り換える」こともまたは明らかであること、
　　　　　　　　　　　　　　　　　　　　
を勘案すれば、引用例には、次の発明（以下、「引用発明」と言う。）が記載されていると認められる。 
 　　　　　 　　　　　　　　
「正逆回転可能なステッピングモータ５４と、
　前記ステッピングモータ５４により正逆回転され、外周にパチンコ玉を受け入れる凹部が形成されたスプロケット５６と、
　前記スプロケットの回転軸よりも上側から前記スプロケットにパチンコ玉を供給する供給通路４２と、
　前記スプロケットの両側に設けられた排出通路４６及び玉抜通路４７と、
　前記スプロケットの正転・逆転を切り換えることで、前記スプロケットの凹部に受け入れたパチンコ玉の流下先を前記排出通路４６と前記玉抜通路４７との間で切り換える払出制御回路９１とを備えた景品玉払出装置４０。」
　　　　　　　　　　　　　　　　　　　　
３．対比 
　そこで、本願発明と引用発明とを比較すると、引用発明のａ「ステッピングモータ５４」、ｂ「パチンコ玉」、ｃ「スプロケット５６」、ｄ「供給通路４２」、ｅ「排出通路４６」、ｆ「払出制御回路９１」、ｇ「景品玉払出装置４０」は、それぞれ、本願発明のａ「モータ」、ｂ「パチンコ球」、ｃ「スプロケット」、ｄ「球供給路」、ｅ「賞球用の球流下路」、ｆ「制御手段」、ｇ「パチンコ球払出装置」に相当する。
　また、引用発明における「玉抜通路４７」と本願発明における「貸球用の球流下路」とは、その機能がそれぞれ玉抜用と貸球用であって、賞球用の球流下路の機能である賞球用とは異なるから、いずれも「賞球用の球流下路と異なる目的の球流下路」という点で一致している。 
 　　　　 　　　　　　　　　　　　　　　　　　　　
 　よって、両者は、 
 　　　 　　　　　　　　　　　　　　　　　　　　　　
「正逆回転可能なモータと、
　前記モータにより正逆回転され、外周にパチンコ球を受け入れる凹部が形成されたスプロケットと、
　前記スプロケットの回転軸よりも上側から前記スプロケットにパチンコ球を供給する球供給路と、
　前記スプロケットの両側に設けられた賞球用の球流下路及び「賞球用の球流下路と異なる目的の球流下路」と、
　前記スプロケットの正転・逆転を切り換えることで、前記スプロケットの凹部に受け入れたパチンコ球の流下先を前記賞球用の球流下路と前記「賞球用の球流下路と異なる目的の球流下路」との間で切り換える払出制御回路９１とを備えたパチンコ球払出装置。」
　　　　　　　　　　　　　　 
 である点で一致し、以下の点で相違する。 
　　　　　　　　　　　　　　　　　
　相違点
　本願発明では、「賞球用の球流下路と異なる目的の球流下路」が貸球用の球流下路であって、賞球用の球流下路と「賞球用の球流下路と異なる目的の球流下路」が、下流で合流してパチンコ機前面の球受け皿に通じているのに対して、引用発明では、「賞球用の球流下路と異なる目的の球流下路」が玉抜通路４７であって、賞球用の球流下路と「賞球用の球流下路と異なる目的の球流下路」が、下流で合流しておらず、賞球用の流下路のみパチンコ機前面の球受け皿に通じている点。
　　　　　　　　　　　　　　　　　　　　　　　　　　　　
４．判断 
　相違点について検討する。
　引用発明における「賞球用の球流下路と異なる目的の球流下路」は玉抜通路４７であって、玉抜通路４７の目的は、パチンコ機内部に残留したパチンコ球をパチンコ機の外部に排出することであって、遊技客が利用しないことを前提としているのに対し、賞球用の球流下路の目的は賞球を排出することであって、遊技客が利用することを前提とするものである。
　よって、引用発明においては、賞球用の球流下路と「賞球用の球流下路と異なる目的の球流下路」である玉抜通路４７とは、遊技客が利用するものと利用しないものという前提が相違するものであって、別々にしなければならない関係にあるから、別々にして合流していない。一方、賞球用の球流下路と「賞球用の球流下路と異なる目的の球流下路」である貸球用の球流下路とは、両球流下路とも遊技客が利用することを前提とするものであるから、パチンコ機の賞球用の球流下路と「賞球用の球流下路と異なる目的の球流下路」である貸球用の球流下路とが下流で合流してパチンコ機前面の球受け皿に通じるようにすることは周知技術（例えば、特開平４−２３１０８８号公報（特に、段落【００１８】〜【００１９】参照。）、特開平７−２８９７２４号公報（特に、段落【００２６】〜【００２７】）参照。）として良く利用されている技術にすぎない。また、本願の出願当初の明細書の段落【００２１】には、賞球用の球流下路と「賞球用の球流下路と異なる目的の球流下路」である貸球用の球流下路とは別々にすることが可能であることが示されている。このように、賞球用の球流下路と「賞球用の球流下路と異なる目的の球流下路」とは、目的が異なるわけであるが、その両球流下路の目的がどういう関係にあるかによって、両球流下路を合流させない場合もあれば、合流させてもかまわない場合もあると解される。
　してみれば、引用発明において、「賞球用の球流下路と異なる目的の球流下路」として周知技術の如く貸球用の球流下路を採用し、その採用に当たっては、賞球用の球流下路と貸球用の球流下路とが別々にしなければならない関係にはないことを勘案して、周知技術の如く両球流下路を下流で合流してパチンコ機前面の球受け皿に通じさせる設計変更を加味して相違点に係る本願発明の如く構成することは、当業者が容易に想到できることである。
　　　　　　　　　　　　　　　　　　　　　　　　　　　　　
５．まとめ  
　本願発明の奏する効果は、前記引用発明に記載された発明に周知技術を適用したものから当業者が容易に予測し得るものであって、格別顕著なものとも認められないから、本願発明は引用発明及び周知技術に基づいて当業者が容易に発明することができたものである。
　　　　　　　　　　 　　　　
６．むすび 
　以上のとおり、本願発明は、引用例及び周知技術に基づいて当業者が容易に発明をすることができたものであるから、特許法第２９条第２項の規定により特許を受けることができない。 
　したがって、本願は拒絶をすべきものである。　　 
　よって、結論のとおり審決する。